(57)【要約】【課題】より立体感を大きくするために左右の光軸間隔を広げたり、多方向からの観察や光量を増やすために３本以上の観察系を配置するために対物光学系の有効径を大きくしたりしてもディストーションや色収差を低く抑える。【解決手段】物体側から順に負の屈折力を有する第１群８と、正の屈折力を有する第２群９とからなり、第１群８が、物体側から順に凹レンズ８ａ、凸レンズ８ｂおよび凹レンズ８ｃの３枚のレンズの接合レンズであり、第１群８と第２群９との間隔を変更することで物体距離を変更し、物体からの光束をアフォーカル光束にして射出する立体観察装置用対物光学系１を提供する。【選択図】図１３
2014048413.tif 000002
【特許請求の範囲】
【請求項１】
物体側から順に負の屈折力を有する第１群と、正の屈折力を有する第２群とからなり、
前記第１群が、物体側から順に凹レンズ、凸レンズおよび凹レンズの３枚のレンズの接合レンズであり、
前記第１群と第２群との間隔を変更することで物体距離を変更し、物体からの光束をアフォーカル光束にして射出する立体観察装置用対物光学系。
【請求項２】
以下の条件式を満足する請求項１に記載の立体観察装置用対物光学系。
ｎ１２＞１．７５
ｎ１２−ｎ１１＞０．２
ｎ１２−ｎ１３＞０．２
ここで、ｎ１１，ｎ１２，ｎ１３は、前記接合レンズを構成する３枚のレンズの屈折率を物体側から順に表している。
【請求項３】
以下の条件式を満足する請求項２に記載の立体観察装置用対物光学系。
｜ν１２−ν１１｜＜２０
｜ν１２−ν１３｜＜２０
ここで、ν１１，ν１２，ν１３は、前記接合レンズを構成する３枚のレンズのアッベ数を物体側から順に表している。
【請求項４】
以下の条件式を満足する請求項２に記載の立体観察装置用対物光学系。
０．７×ｆ３＜ｆ１＜０．２×ｆ３
ここで、ｆ１は前記接合レンズを構成するレンズの内の物体側の凹レンズの焦点距離、ｆ３は前記接合レンズを構成するレンズの内の像側の凹レンズの焦点距離である。
【発明の詳細な説明】
【技術分野】
【０００１】
本発明は、立体観察装置用対物光学系に関し、特に、手術用顕微鏡の実体顕微鏡の対物光学系に関するものである。
【背景技術】
【０００２】
手術用顕微鏡の実体顕微鏡としては、例えば、特許文献１に開示されたものが知られている。
【先行技術文献】
【特許文献】
【０００３】
【特許文献１】特開２００８−１７０８０３号公報
【発明の概要】
【発明が解決しようとする課題】
【０００４】
しかしながら、特許文献１の実態顕微鏡は、より立体感を大きくするために左右の光軸間隔を広げたものや、多方向からの観察や光量を増やすために３本以上の観察系を配置するために対物レンズの有効径を大きくする必要がある。この場合には、有効径の大きな対物レンズを採用するとディストーションや色収差が大きくなるという問題があった。
【０００５】
本発明は、上述した事情に鑑みてなされたものであって、より立体感を大きくするために左右の光軸間隔を広げたり、多方向からの観察や光量を増やすために３本以上の観察系を配置するために対物光学系の有効径を大きくしたりしてもディストーションや色収差を低く抑えることができる立体観察装置用対物光学系を提供することを目的としている。
【課題を解決するための手段】
【０００６】
上記目的を達成するために、本発明は以下の手段を提供する。
本発明の一態様は、物体側から順に負の屈折力を有する第１群と、正の屈折力を有する第２群とからなり、前記第１群が、物体側から順に凹レンズ、凸レンズおよび凹レンズの３枚のレンズの接合レンズであり、前記第１群と第２群との間隔を変更することで物体距離を変更し、物体からの光束をアフォーカル光束にして射出する立体観察装置用対物光学系を提供する。
【０００７】
上記態様においては、以下の条件式を満足することが好ましい。
ｎ１２＞１．７５
ｎ１２−ｎ１１＞０．２
ｎ１２−ｎ１３＞０．２
ここで、ｎ１１，ｎ１２，ｎ１３は、前記接合レンズを構成する３枚のレンズの屈折率を物体側から順に表している。
【０００８】
また、上記態様においては、以下の条件式を満足することが好ましい。
｜ν１２−ν１１｜＜２０
｜ν１２−ν１３｜＜２０
ここで、ν１１，ν１２，ν１３は、前記接合レンズを構成する３枚のレンズのアッベ数を物体側から順に表している。
【０００９】
さらに、上記態様においては、以下の条件式を満足することが好ましい。
０．７×ｆ３＜ｆ１＜０．２×ｆ３
ここで、ｆ１は前記接合レンズを構成するレンズの内の物体側の凹レンズの焦点距離、ｆ３は前記接合レンズを構成するレンズの内の像側の凹レンズの焦点距離である。
【発明の効果】
【００１０】
本発明によれば、より立体感を大きくするために左右の光軸間隔を広げたり、多方向からの観察や光量を増やすために３本以上の観察系を配置するために対物レンズの有効径を大きくしたりしてもディストーションや色収差を低く抑えることができるという効果を奏する。
【図面の簡単な説明】
【００１１】
【図１】本発明の一実施形態に係る立体観察装置用対物光学系を含む実体顕微鏡の概略構成を示す斜視図である。
【図２】本発明の一実施形態に係る立体観察装置用対物光学系を含む他の実体顕微鏡の概略構成を示す斜視図である。
【図３】図２の実体顕微鏡の主側観察光学系のＡ矢視図である。
【図４】図２の実体顕微鏡の主側観察光学系のＥ矢視図である。
【図５】図２の実体顕微鏡の副側観察光学系のＢ矢視図である。
【図６】図２の実体顕微鏡の副側観察光学系のＣ矢視図である。
【図７】図２の実体顕微鏡の副側観察光学系のＤ矢視図である。
【図８】図２の実体顕微鏡のズーム光学系のＣ矢視図である。
【図９】図２の実体顕微鏡のズーム光学系のＥ矢視図である。
【図１０】図２の実体顕微鏡の３ＤＴＶ光学系のＢ矢視図である。
【図１１】図２の実体顕微鏡の３ＤＴＶ光学系のＣ矢視図である。
【図１２】図２の実体顕微鏡の鏡筒の構成図である。
【図１３】図１の実体顕微鏡の第１の実施例におけるレンズ配列を示す図である。
【図１４】図１３のレンズ配列における、（ａ）作動距離（ＷＤ）１００ｍｍの場合の低倍端、（ｂ）作動距離３００ｍｍの場合の低倍端、（ｃ）作動距離１００ｍｍの場合の高倍端、（ｄ）作動距離３００ｍｍの場合の高倍端での状態をそれぞれ示す図である。
【図１５】図１４（ａ）の状態における収差であって、（ａ）球面収差、（ｂ）像面湾曲、（ｃ）ディストーション、（ｄ）倍率色収差をそれぞれ示す図である。
【図１６】図１４（ｂ）の状態における収差であって、（ａ）球面収差、（ｂ）像面湾曲、（ｃ）ディストーション、（ｄ）倍率色収差をそれぞれ示す図である。
【図１７】図１４（ｃ）の状態における収差であって、（ａ）球面収差、（ｂ）像面湾曲、（ｃ）ディストーション、（ｄ）倍率色収差をそれぞれ示す図である。
【図１８】図１４（ｄ）の状態における収差であって、（ａ）球面収差、（ｂ）像面湾曲、（ｃ）ディストーション、（ｄ）倍率色収差をそれぞれ示す図である。図１の実体顕微鏡の第１の実施例におけるレンズ配列を示す図である。
【図１９】図１の実体顕微鏡の第２の実施例におけるレンズ配列を示す図である。
【図２０】図１９のレンズ配列における、（ａ）作動距離（ＷＤ）１００ｍｍの場合の低倍端、（ｂ）作動距離３００ｍｍの場合の低倍端、（ｃ）作動距離１００ｍｍの場合の高倍端、（ｄ）作動距離３００ｍｍの場合の高倍端での状態をそれぞれ示す図である。
【図２１】図２０（ａ）の状態における収差であって、（ａ）球面収差、（ｂ）像面湾曲、（ｃ）ディストーション、（ｄ）倍率色収差をそれぞれ示す図である。
【図２２】図２０（ｂ）の状態における収差であって、（ａ）球面収差、（ｂ）像面湾曲、（ｃ）ディストーション、（ｄ）倍率色収差をそれぞれ示す図である。
【図２３】図２０（ｃ）の状態における収差であって、（ａ）球面収差、（ｂ）像面湾曲、（ｃ）ディストーション、（ｄ）倍率色収差をそれぞれ示す図である。
【図２４】図２０（ｄ）の状態における収差であって、（ａ）球面収差、（ｂ）像面湾曲、（ｃ）ディストーション、（ｄ）倍率色収差をそれぞれ示す図である。
【図２５】図２の実体顕微鏡の第３の実施例における主側観察光学系のレンズ配列を示す図である。
【図２６】図２の実体顕微鏡の第３の実施例における副側観察光学系のレンズ配列を示す図である。
【図２７】図２の実体顕微鏡の第３の実施例における３ＤＴＶ光学系のレンズ配列を示す図である。
【図２８】図２５のレンズ配列における、（ａ）作動距離（ＷＤ）２５０ｍｍの場合の低倍端、（ｂ）作動距離５００ｍｍの場合の低倍端、（ｃ）作動距離２５０ｍｍの場合の高倍端、（ｄ）作動距離５００ｍｍの場合の高倍端での状態をそれぞれ示す図である。
【図２９】図２６のレンズ配列における、（ａ）作動距離（ＷＤ）２５０ｍｍの場合の低倍端、（ｂ）作動距離５００ｍｍの場合の低倍端、（ｃ）作動距離２５０ｍｍの場合の高倍端、（ｄ）作動距離５００ｍｍの場合の高倍端での状態をそれぞれ示す図である。
【図３０】図２７のレンズ配列における、（ａ）作動距離（ＷＤ）２５０ｍｍの場合の低倍端、（ｂ）作動距離５００ｍｍの場合の低倍端、（ｃ）作動距離２５０ｍｍの場合の高倍端、（ｄ）作動距離５００ｍｍの場合の高倍端での状態をそれぞれ示す図である。
【図３１】図２８（ａ）の状態における収差であって、（ａ）球面収差、（ｂ）像面湾曲、（ｃ）ディストーション、（ｄ）倍率色収差をそれぞれ示す図である。
【図３２】図２８（ｂ）の状態における収差であって、（ａ）球面収差、（ｂ）像面湾曲、（ｃ）ディストーション、（ｄ）倍率色収差をそれぞれ示す図である。
【図３３】図２８（ｃ）の状態における収差であって、（ａ）球面収差、（ｂ）像面湾曲、（ｃ）ディストーション、（ｄ）倍率色収差をそれぞれ示す図である。
【図３４】図２８（ｄ）の状態における収差であって、（ａ）球面収差、（ｂ）像面湾曲、（ｃ）ディストーション、（ｄ）倍率色収差をそれぞれ示す図である。
【図３５】図２９（ａ）の状態における収差であって、（ａ）球面収差、（ｂ）像面湾曲、（ｃ）ディストーション、（ｄ）倍率色収差をそれぞれ示す図である。
【図３６】図２９（ｂ）の状態における収差であって、（ａ）球面収差、（ｂ）像面湾曲、（ｃ）ディストーション、（ｄ）倍率色収差をそれぞれ示す図である。
【図３７】図２９（ｃ）の状態における収差であって、（ａ）球面収差、（ｂ）像面湾曲、（ｃ）ディストーション、（ｄ）倍率色収差をそれぞれ示す図である。
【図３８】図２９（ｄ）の状態における収差であって、（ａ）球面収差、（ｂ）像面湾曲、（ｃ）ディストーション、（ｄ）倍率色収差をそれぞれ示す図である。
【図３９】図３０（ａ）の状態における収差であって、（ａ）球面収差、（ｂ）像面湾曲、（ｃ）ディストーション、（ｄ）倍率色収差をそれぞれ示す図である。
【図４０】図３０（ｂ）の状態における収差であって、（ａ）球面収差、（ｂ）像面湾曲、（ｃ）ディストーション、（ｄ）倍率色収差をそれぞれ示す図である。
【図４１】図３０（ｃ）の状態における収差であって、（ａ）球面収差、（ｂ）像面湾曲、（ｃ）ディストーション、（ｄ）倍率色収差をそれぞれ示す図である。
【図４２】図３０（ｄ）の状態における収差であって、（ａ）球面収差、（ｂ）像面湾曲、（ｃ）ディストーション、（ｄ）倍率色収差をそれぞれ示す図である。
【発明を実施するための形態】
【００１２】
本発明の一実施形態に係る立体観察装置用対物光学系１について、図面を参照して以下に説明する。
本実施形態に係る立体観察装置用対物光学系１は、図１に示される実体顕微鏡２に備えられる対物光学系（以下、単に対物光学系１と言う。）である。
この実体顕微鏡２は、物体側から順に、１つの対物光学系１と、正の屈折力を持つ前群３と正の屈折力を持つ後群４とからなり前群３と後群４との間に中間像を有する一回結像アフォーカルリレー光学系５と、アフォーカルズーム光学系６と、結像光学系７とを備えている。
【００１３】
本実施形態に係る対物光学系１は、物体側から順に負の屈折力を有する第１群８と、正の屈折力を有する第２群９とからなっているとともに、第１群８と第２群９との間隔が調節可能に構成されており、間隔を変更することで、作動距離（ＷＤ）を変更し、物体からの光束をアフォーカル光束に変換するようになっている。
そして、本実施形態に係る対物光学系１においては、図３に示されるように、第１群８は、物体側から順に凹レンズ８ａ、凸レンズ８ｂおよび凹レンズ８ｃの３枚のレンズの接合レンズである。
【００１４】
また、本実施形態に係る対物光学系１においては、以下の条件式を満足している。
ｎ１２＞１．７５                  （１）
ｎ１２−ｎ１１＞０．２            （２）
ｎ１２−ｎ１３＞０．２            （３）
｜ν１２−ν１１｜＜２０          （４）
｜ν１２−ν１３｜＜２０          （５）
０．７×ｆ３＜ｆ１＜０．２×ｆ３  （６）
【００１５】
ここで、ｎ１１は凹レンズ８ａの屈折率、ｎ１２は凸レンズ８ｂの屈折率、ｎ１３は凹レンズ８ｃの屈折率である。また、ν１１は凹レンズ８ａのアッベ数、ν１２は凸レンズ８ｂのアッベ数、ν１３は凹レンズ８ｃのアッベ数である。また、ｆ１は凹レンズ８ａの焦点距離、ｆ３は凹レンズ８ｃの焦点距離である。
【００１６】
本実施形態に係る対物光学系１によれば、条件式（１）〜（３）を満足することにより、（１）の条件を外れると像面湾曲が増加し、（２）、（３）の条件を外れるとそれぞれの接合面の曲率が強くなりコマ収差が増加し、像が劣化する。
【００１７】
また、本実施形態に係る対物光学系１によれば、条件式（１）〜（５）を満足することにより、対物光学系１の有効径を大きくした場合にもディストーション等の収差を抑えることができるという利点がある。逆に、対物光学系１の有効径を大きくして同等の収差性能にする場合に、従来の一般的な２枚構成の第１群の場合には、全長を長くすると収差が抑えやすくなるのに対し、本実施形態によれば、対物光学系１の全長を短くすることができるという利点がある。
【００１８】
また、本実施形態に係る対物光学系１によれば、条件式（６）を満足することにより、以下の効果がある。
すなわち、条件式（６）の下限値を下回ると、像側の凹レンズ８ｃの効果が少なくなり、ディストーション等の収差を補正することが難しくなる。一方、条件式（６）の上限値を上回ると、対物光学系１の全長を短くすることが難しくなる。したがって、条件式（６）を満たすことにより、ディストーション等の収差を良好に補正し、かつ、対物光学系１の全長を短くすることができるという利点がある。
【００１９】
なお、実施形態に係る対物光学系１は、図２に示される実体顕微鏡１０に備えられてもよい。
この実体顕微鏡１０は、主観察者（主術者）と副観察者（補助者）とで同時に立体観察を行うために、例えば、共通の対物光学系１に対して、左右一対の主側観察光学系１１の間にもう一つの副側観察光学系１２を配置したものである。
主側観察光学系１１は、主側アフォーカルズーム光学系１３と、主側アフォーカルリレー光学系１４と、主側結像光学系１５とを備えている。
【００２０】
また、副側観察光学系１２は、副側アフォーカルズーム光学系１６と、副側第１アフォーカルリレー光学系１７と、副側第２アフォーカルリレー光学系１８と、副側結像光学系１９とを備えている。
さらに、副側第２アフォーカルリレー光学系１８の途中位置に設けられたプリズム２０により分岐された光路に、３ＤＴＶ光学系２１を備えている。
【００２１】
対物光学系１は、図１の実体顕微鏡２のものと同じである。
図２においては、図の見やすさのために、左右の眼用の光学系を備えるものについては一方の光学系を主として示している。
【００２２】
図３は主側観察光学系１１のＡ矢視図、図４は主側観察光学系１１のＥ矢視図、図５は副側観察光学系１２のＢ矢視図、図６は副側観察光学系１２のＣ矢視図、図７は副側観察光学系１２のＤ矢視図、図８はズーム光学系のＣ矢視図、図９はズーム光学系のＥ矢視図、図１０は３ＤＴＶ光学系２１のＢ矢視図、図１１は３ＤＴＶ光学系２１のＣ矢視図、図１２は鏡筒の構成図である。
【００２３】
（第１の実施例）
以下、本実施形態に係る対物光学系１を備えた図１の実体顕微鏡２の第１の実施例について、図面を参照して説明する。
図１３は、本実施例に係る実体顕微鏡２のレンズ配列を示している。
図１４（ａ）は、図２のレンズ配列において、作動距離（ＷＤ）１００ｍｍの場合の低倍端、（ｂ）は作動距離３００ｍｍの場合の低倍端、（ｃ）は作動距離１００ｍｍの場合の高倍端、（ｄ）は作動距離３００ｍｍの場合の高倍端での状態をそれぞれ示している。
【００２４】
なお、図１３および図１４では、便宜上、左右の眼用の光学系を備えるものについては一方の光学系のみを示している。
表１に図１３の実体顕微鏡２のレンズデータを示し、図１５〜図１８に図１４（ａ）〜（ｄ）の各状態に対応する収差図を示す。
【００２５】
図１５は図１４（ａ）の状態、図１６は図１４（ｂ）の状態、図１７は図１４（ｃ）の状態、図１８は図１４（ｄ）の状態における収差図である。これら図１５〜図１８においては、（ａ）は球面収差、（ｂ）は像面湾曲、（ｃ）はディストーション、（ｄ）は倍率色収差をそれぞれ示している。
【００２６】
（表１）
面番        ｒ              ｄ                ｎ                νｄ
物体        ∞              ｄ１              １
１      −２８．４４        ２．４４          １．５９５５１    ３９．２４
２      １９６．４７８８    ３．２４          ２．００３３      ２８．２７
３      −２７．４２５９    ２．４４          １．６７２７      ３２．１
４      １１４．４１９７    ｄ２              １
５        ９２．０８０２    ２．４８          １．８５０２６    ３２．２７
６        ４９．９７１７    ３．５２          １．４９７        ８１．５４
７      −６３．７２７７    ０．１            １
８      ３００              ２．５６          １．４９７        ８１．５４
９    −２７９．３８７３    ２．２            １
１０        ∞              ０                １
１１      ４１．８６６      ４．６            １．７２９１６    ５４．６８
１２  −１１４．３１４      ０．４５          １
１３      １１．７８５      ８．６            １．４９７        ８１．５４
１４    −４４．９３２      １．８５          １．８０１        ３４．９７
１５        ８．９６３    １１．４５          １
１６        ４．２４２      ２．９            １．７２９１６    ５４．６８
１７    −３５．１６４    １０．６４          １
１８        ∞（結像点）    ４．２２          １
１９        ∞            １８．８            １．７２９１６    ５４．６８
２０        ∞              １                １
２１        ∞              ２．６            １．７２９１６    ５４．６８
２２    −１６．０５５      ５．９５          １
２３      −８．９１６      ３．６５          １．８０１        ３４．９７
２４      ６６．５０６      ９．７            １．４９７        ８１．５４
２５    −１２．４５８      １．６５          １
２６        ∞              ４．７５          １．７８５９      ４４．２
２７    −５１．９４６      ４                １
２８      ２６．２３        ２．７            １．４９７        ８１．５４
２９    −２６．２３        １．１            １．８０１        ３４．９７
３０    −５３．７８６      ｄ３              １
３１      ９７．０６９      １．１            １．８３４        ３７．１６
３２      ４３．１６        ３．０６２１＊    １
３３    −２１．２７５      １．１            １．５１６３３    ６４．１４
３４        ７．７２１      ２                １．８４６６６    ２３．７８
３５      １１．４８９      ｄ４              １
３６    −５８．８０６      １．１            １．４８７４９    ７０．２３
３７      ２２．４１６      ｄ５              １
３８      ２６．３７１      １．１            １．８３４        ３７．１６
３９      １６．３９６      ２．７            １．４９７        ８１．５４
４０    −２０．０５８      ２                １
ＳＴＯ      ∞（ＡＳ）      １．０            １
４２        ∞            １６                １．７２９１６    ５４．６８  
４３        ∞              ３                １
４４      ２４．４２６      ２．５            １．４９７        ８１．５４
４５    −１４．９３２      １．２            １．８０１        ３４．９７
４６    −３７．４１６      ６．３５          １
４７      ２０．９２３      ４．５            １．７７２５      ４９．６
４８        ∞              １  １
４９        ∞              １．６            １．５１４        ７４
５０        ∞              ３．５５          １
５１        ９．２５４      ３                １．８３４        ３７．１６
５２        ３．８４３      ５．４７６６      １
５３        ∞              １．７            １．５１６３３    ６４．１４
５４        ∞              ０．４            １
５５        ∞              ０．０３          １
５６        ∞              ０．８            １．５１６３３    ６４．１４
５７        ∞              ０．０３          １．５１          ６４．１
５８        ∞              １                １．６１０６２    ５０．５
像面        ∞
【００２７】
上記レンズデータにおいて、ＡＳ径：φ５．８、像高：１．６３、１０面の偏心量：６．２５である。
また、図１４（ａ）〜（ｄ）の各状態における上記レンズデータのｄ１〜ｄ５の値および総合倍率を表２に示す。
【００２８】
（表２）
（ａ）ＷＤ１００  （ｂ）ＷＤ３００  （ｃ）ＷＤ１００  （ｄ）ＷＤ３００
最低倍            最低倍            最高倍            最高倍
ｄ１      １０２．２５      ３２２．０９      １０２．２５      ３２２．０９
ｄ２        ２１．７７          １．９４        ２１．７７          １．９４
ｄ３          ３                ３              ２０．７９        ２０．７９
ｄ４        １４．９１        １４．９１          ２．５２          ２．５２
ｄ５          ８．４            ８．４            ３．              ３．
倍率          ０．０７９        ０．０３６        ０．３１６        ０．１４３
【００２９】
（第２の実施例）
以下、本実施形態に係る対物光学系を備えた図１の実体顕微鏡の第２の実施例について、図面を参照して説明する。
図１９は、本実施例に係る実体顕微鏡のレンズ配列を示している。
図２０（ａ）は、図１９のレンズ配列において、作動距離（ＷＤ）１００ｍｍの場合の低倍端、（ｂ）は作動距離３００ｍｍの場合の低倍端、（ｃ）は作動距離１００ｍｍの場合の高倍端、（ｄ）は作動距離３００ｍｍの場合の高倍端での状態をそれぞれ示している。
【００３０】
なお、図１９および図２０では、便宜上、左右の眼用の光学系を備えるものについては一方の光学系のみを示してある。
表３に図１９の実体顕微鏡のレンズデータを示し、図２１〜図２４に図２０（ａ）〜（ｄ）の各状態に対応する収差図を示す。
【００３１】
図２１は図２０（ａ）の状態、図２２は図２０（ｂ）の状態、図２３は図２０（ｃ）の状態、図２４は図２０（ｄ）の状態における収差図である。これら図２１〜図２４においては、（ａ）は球面収差、（ｂ）は像面湾曲、（ｃ）はディストーション、（ｄ）は倍率色収差をそれぞれ示している。
【００３２】
（表３）
面番        ｒ                ｄ                ｎ                νｄ
物体        ∞                ｄ１              １
１      −３６．２３１１      ２．４４００      １．５１７４２    ５２．４３  
２        ４７．３３８４      ３．２４００      １．７４９５０    ３５．２８  
３    −１５６．２５６５      ２．４４００      １．５３１７２    ４８．８４  
４      １２９．４６１９      ｄ２              １
５      ２３７．０１６９＊    ２．４８００      １．８５０２６    ３２．２７
６        ７３．８７８９＊    ３．５２００      １．４９７００    ８１．５４
７      −５８．０９９４＊    ０．１０００      １
８      ２９９．５０００      ２．５６００      １．４９７００    ８１．５４
９    −１１３．９２２４＊    ２．２０００
１０        ∞                ０                １
１１      ４１．８６６        ４．６            １．７２９１６    ５４．６８
１２  −１１４．３１４        ０．４５          １
１３      １１．７８５        ８．６            １．４９７        ８１．５４
１４    −４４．９３２        １．８５          １．８０１        ３４．９７
１５        ８．９６３      １１．４５          １
１６      ２４．２４２        ２．９            １．７２９１６    ５４．６８
１７    −３５．１６４      １０．６４          １
１８        ∞（結像点  ）    ４．２２          １
１９        ∞              １８．８            １．７２９１６    ５４．６８
２０        ∞                １                １
２１        ∞                ２．６            １．７２９１６    ５４．６８
２２    −１６．０５５        ５．９５          １
２３      −８．９１６        ３．６５          １．８０１        ３４．９７
２４      ６６．５０６        ９．７            １．４９７        ８１．５４
２５    −１２．４５８        １．６５          １
２６        ∞                ４．７５          １．７８５９      ４４．２
２７    −５１．９４６        ４                １
２８      ２６．２３          ２．７            １．４９７        ８１．５４
２９    −２６．２３          １．１            １．８０１        ３４．９７
３０    −５３．７８６        ｄ３              １
３１      ９７．０６９        １．１            １．８３４        ３７．１６
３２      ４３．１６          ３．０６２１＊    １
３３    −２１．２７５        １．１            １．５１６３３    ６４．１４
３４        ７．７２１        ２                １．８４６６６    ２３．７８
３５      １１．４８９        ｄ４              １
３６    −５８．８０６        １．１            １．４８７４９    ７０．２３
３７      ２２．４１６        ｄ５              １
３８      ２６．３７１        １．１            １．８３４        ３７．１６  
３９      １６．３９６        ２．７            １．４９７        ８１．５４
４０    −２０．０５８        ２                １
ＳＴＯ      ∞（ＡＳ）        １．０            １
４２        ∞              １６                １．７２９１６    ５４．６８  
４３        ∞                ３                １
４４      ２４．４２６        ２．５            １．４９７        ８１．５４
４５    −１４．９３２        １．２            １．８０１        ３４．９７  
４６    −３７．４１６        ６．３５          １
４７      ２０．９２３        ４．５            １．７７２５      ４９．６
４８        ∞                １                １
４９        ∞                １．６            １．５１４        ７４
５０        ∞                ３．５５          １
５１        ９．２５４        ３                １．８３４        ３７．１６  
５２        ３．８４３        ５．４７６６      １
５３        ∞                １．７            １．５１６３３    ６４．１４
５４        ∞                ０．４            １
５５        ∞                ０．０３          １
５６        ∞                ０．８            １．５１６３３    ６４．１４
５７        ∞                ０．０３          １．５１          ６４．１
５８        ∞                １                １．６１０６２    ５０．５
像面        ∞
【００３３】
上記レンズデータにおいて、ＡＳ径：φ５．８、像高：１．６３、１０面の偏心量：６．２５である。
また、図２０（ａ）〜（ｄ）の各状態における上記レンズデータのｄ１〜ｄ５の値および総合倍率を表４に示す。
【００３４】
（表４）
（ａ）ＷＤ１００  （ｂ）ＷＤ３００  （ｃ）ＷＤ１００  （ｄ）ＷＤ３００
最低倍            最低倍            最高倍            最高倍
ｄ１      １０３．３２      ３１７．１２      １０３．３２      ３１７．１２
ｄ２        ２０．７            ６．９０        ２０．７            ６．９０  
ｄ３          ３                ３              ２０．７９        ２０．７９
ｄ４        １４．９１        １４．９１          ２．５２          ２．５２
ｄ５          ８．４            ８．４            ３．              ３．
倍率          ０．０７８        ０．０３６        ０．３１３        ０．１４４
【００３５】
（第３の実施例）
以下、本実施形態に係る対物光学系を備えた図２の実体顕微鏡の第３の実施例について、図面を参照して説明する。図２の実体顕微鏡は、手術を行う主観察者とその補助を行う副観察者が観察し、その他の人が状況を観察できる手術用顕微鏡である。
【００３６】
手術用顕微鏡は、主観察者の作業性を良くするため、手術部と主観察者が顕微鏡を覗く位置の距離を近くする必要がある。そのため、プリズムやミラーを使って偏向することによりこの目的を達成する。
【００３７】
この実施形態の光学系の配置をさらに詳しく説明する。物体からの光束を対物レンズによりアフォーカル光束にし、射出後にプリズムにより垂直方向に反射し、そこに３本のズーム光学系をＣ矢視図、Ｅ矢視図のように配置する。
【００３８】
この内、２本を主側光学系のＡ矢視図、Ｅ矢視図のように光学系、反射部材を構成し、鏡筒を通して主観察者が手術部の像を観察する。鏡筒は、図１２の鏡筒構成図に示すように、像を結像する結像レンズ、像を正立像化する正立プリズムと結像した像を虚像にして拡大する接眼レンズからなる。図２では、構成をわかりやすくするため鏡筒は反射部材による折り曲げをしない構成である。
【００３９】
また、主側ズーム光学系射出後にあるビームスプリッタにより分割した光を使って立体撮影できる立体撮影光学系が取り付けられる。この光学系はＢ矢視図とＣ矢視図でその構成を示した。
【００４０】
また、副側光学系は、副側専用のズーム光学系射出後、Ｂ矢視図、Ｃ矢視図のような引き回しを行ったうえ、Ｄ矢視図にある瞳分割光学系により瞳を左右に分けて視差をつけることにより立体観察する。瞳分割光学系射出後に鏡筒をつけることにより副観察者が観察する。
【００４１】
図２５は、本実施例に係る実体顕微鏡の主側観察光学系のレンズ配列、図２６は副側観察光学系のレンズ配列、図２７は３ＤＴＶ光学系のレンズ配列をそれぞれ示している。
【００４２】
図２８（ａ）は、図２５のレンズ配列において、作動距離（ＷＤ）２５０ｍｍの場合の低倍端、（ｂ）は作動距離５００ｍｍの場合の低倍端、（ｃ）は作動距離２５０ｍｍの場合の高倍端、（ｄ）は作動距離５００ｍｍの場合の高倍端での状態をそれぞれ示している。
【００４３】
図２９（ａ）は、図１６のレンズ配列において、作動距離（ＷＤ）２５０ｍｍの場合の低倍端、（ｂ）は作動距離５００ｍｍの場合の低倍端、（ｃ）は作動距離２５０ｍｍの場合の高倍端、（ｄ）は作動距離５００ｍｍの場合の高倍端での状態をそれぞれ示している。
【００４４】
図３０（ａ）は、図１７のレンズ配列において、作動距離（ＷＤ）２５０ｍｍの場合の低倍端、（ｂ）は作動距離５００ｍｍの場合の低倍端、（ｃ）は作動距離２５０ｍｍの場合の高倍端、（ｄ）は作動距離５００ｍｍの場合の高倍端での状態をそれぞれ示している。
【００４５】
なお、図２５および図２８では、便宜上、左右の眼用の光学系を備えるものについては一方の光学系のみを示してある。
表５に図２５の主側観察光学系のレンズデータを示し、図３１〜図３４に図２８（ａ）〜（ｄ）の各状態に対応する収差図を示す。
【００４６】
図３１は図２８（ａ）の状態、図３２は図２８（ｂ）の状態、図３３は図２８（ｃ）の状態、図３４は図２８（ｄ）の状態における収差図である。これら図３１〜図３４においては、（ａ）は球面収差、（ｂ）は像面湾曲、（ｃ）はディストーション、（ｄ）は倍率色収差をそれぞれ示している。
【００４７】
（表５）
面番        ｒ              ｄ                ｎ                νｄ
物体        ∞              ｄ１              １．  
１          ∞              ３．００００      １．５１６３３    ６４．１４
２          ∞              ｄ２              １．
３      −８９．６２８０    ６．１０００      １．６１７７２    ４９．８１
４        ８９．６２８０    ８．１０００      １．８５０２６    ３２．２７
５    −２６１．５５５０    ６．１０００      １．５９５５１    ３９．２４
６      １８２．３４８０    ｄ３              １．
７      １９０．９５５０    ６．２０００      １．８５０２６    ３２．２７
８      １００．３２３０    ８．８０００      １．４９７００    ８１．５４
９    −１７５．１９９０    ０．２０００      １．
１０    ６３７．２３６０    ６．４０００      １．４９７００    ８１．５４
１１  −１７１．７５３０    ０．５０００      １．
１２        ∞            ４５．００００      １．５６８８３    ５６．３６
１３        ∞              ２．５０００      １．
１４      ６３．８４７０    ３．００００      １．４９７００    ８１．６１
１５    −６３．８４７０    ２．２０００      １．７２１５１    ２９．２３
１６  −１９６．５４３０    ０．３０００      １．
１７    １０３．０８６０    ２．２０００      １．５１６３３    ６４．１５
１８        ∞              ｄ４              １．
１９  −１３５．９５００    １．８５００      １．６７７９０    ５５．３３
２０      １１．９１３０    ３．５０００      １．７１７３６    ２９．５１
２１      ３６．６９７０    ３．３０５６      １．
２２    −６２．０３４０    １．８０００      １．６７７９０    ５５．３３
２３      ６２．０３４０    ｄ５              １．
２４    １１８．８０５０    １．７０００      １．７２１５１    ２９．２３
２５      ４０．２６５０    ２．２５００      １．４９７００    ８１．６１
２６  −１０１．５６４０    ０．２５００      １．
２７      ７２．６０８０    １．９５００      １．５１６３３    ６４．１５
２８    −７２．６０８０    ｄ６              １．
２９  −１０５．６６６０    １．７５００      １．６７７９０    ５５．３３
３０      ３２．９５４０    １．７５００      １．６８８９３    ３１．０７
３１    １０５．６６６０  １４．８３          １．
３２        ∞            ２０．００００      １．５６８８３    ５６．３６
３３        ∞            １４．００００      １．
３４        ∞            ２３．００００      １．５６８８３    ５６．３６
３５        ∞              ６．０１５７＊    １．
３６        ∞              ３．１０００      １．４９７００    ８１．５４
３７    −８０．６３２０    １．３０００      １．
３８    １４８．７６３０    ４．９０００      １．４９７００    ８１．５４
３９    −４０．７３５０    ３．２０００      １．６７３００    ３８．１５
４０  −１０３．８０５０  ８２．７４５１＊    １．
４１        ∞            ３７．５３９２＊    １．
４２        ∞            ３０．７３００      １．５６８８３    ５６．３６
４３        ∞              ７．０８２０      １．
４４        ∞            ２０．００００      １．５６８８３    ５６．３６
４５        ∞              １．５０００      １．
４６    １９３．１２３０    ２．２０００      １．６７３００    ３８．１５
４７      ３７．１４２０    ２．７５００      １．４９７００    ８１．５４
４８        ∞              ３．４９７０      １．
４９        ∞              ２．４７００      １．６０３１１    ６０．６４
５０    −４７．５７３０    ０．５０００      １．
５１        ∞            ６４．０００        １．５６８８３    ５６．３６
５２        ∞              ３．９０００      １．
５３        ∞（ＡＳ）    ２９．２８３０      １．  
５４      ３６．５３００    １．９０００      １．６０３４２    ３８．０３
５５        ∞              ５．１０００      １．
５６      ７５．２４５０    ２．４０００      １．５１６３３    ６４．１４
５７    −３０．３８５０    １．６０００      １．５８１４４    ４０．７５
５８      ３０．３８５０  １１．００００      １．
５９        ∞            １０．５０００      １．
６０        ∞            ２５．６０７０      １．５６８８３    ５６．３６
６１        ∞              １．１３２０      １．
６２        ∞            ４５．２３９０      １．５６８８３    ５６．３６
６３        ∞              ８．００００      １．
６４        ∞            ５５．４２６０      １．５１６３３    ６４．１４
６５        ∞              １．００００      １．
６６        ∞            ２２．００００      １．５６８８３    ５６．３６
６７        ∞              ７．９３１０      １．
６８        ∞            ５８．５０００      １．５６８８３    ５６．３６
６９        ∞              ３．５３３６      １．
像面        ∞
【００４８】
上記レンズデータにおいて、ＡＳ径：φ１２、像高：１０．５、１２面の偏心量：１４である。
また、図２８（ａ）〜（ｄ）の各状態における上記レンズデータのｄ１〜ｄ６の値および総合倍率を表６に示す。
【００４９】
（表６）
（ａ）ＷＤ２５０  （ｂ）ＷＤ５００  （ｃ）ＷＤ２５０  （ｄ）ＷＤ５００
最低倍            最低倍            最高倍            最高倍
ｄ１      ２５１．３        ５０１．３        ２５１．３        ５０１．３
ｄ２        ２５．１７        ４５．２５        ２５．１７        ４５．２５  
ｄ３        ２２．１３          ２．０５        ２２．１３          ２．０５
ｄ４          ９．４４          ９．４４        ３８．４          ３８．４
ｄ５        ８６．０８        ８６．０８          ３．１１          ３．１１
ｄ６          ６．１５          ６．１５        ６０．１５        ６０．１５
倍率          ０．２０９        ０．１２９        ２．１３          １．３１
【００５０】
表７に図２６の副側観察光学系のレンズデータを示し、図３５〜図３８に図２９（ａ）〜（ｄ）の各状態に対応する収差図を示す。
図３５は図２９（ａ）の状態、図３６は図２９（ｂ）の状態、図３７は図２９（ｃ）の状態、図３８は図２９（ｄ）の状態における収差図である。これら図３５〜図３８においては、（ａ）は球面収差、（ｂ）は像面湾曲、（ｃ）はディストーション、（ｄ）は倍率色収差をそれぞれ示している。
【００５１】
（表７）
面番        ｒ              ｄ                ｎ                νｄ
物体        ∞              ｄ１              １．
１          ∞              ３．００００      １．５１６３３    ６４．１４
２          ∞              ｄ２              １．
３      −８９．６２８０    ６．１０００      １．６１７７２    ４９．８１
４        ８９．６２８０    ８．１０００      １．８５０２６    ３２．２７
５    −２６１．５５５０    ６．１０００      １．５９５５１    ３９．２４
６      １８２．３４８０    ｄ３              １．
７      １９０．９５５０    ６．２０００      １．８５０２６    ３２．２７
８      １００．３２３０    ８．８０００      １．４９７００    ８１．５４
９    −１７５．１９９０    ０．２０００      １．
１０    ６３７．２３６０    ６．４０００      １．４９７００    ８１．５４
１１  −１７１．７５３０    ０．５０００      １．
１２        ∞            ４５．００００      １．５６８８３    ５６．３６
１３        ∞              ２．５０００      １．
１４      ６３．８４７０    ３．００００      １．４９７００    ８１．６１
１５    −６３．８４７０    ２．２０００      １．７２１５１    ２９．２３
１６  −１９６．５４３０    ０．３０００      １．
１７    １０３．０８６０    ２．２０００      １．５１６３３    ６４．１５
１８        ∞              ｄ４              １．
１９  −１３５．９５００    １．８５００      １．６７７９０    ５５．３３
２０      １１．９１３０    ３．５０００      １．７１７３６    ２９．５１
２１      ３６．６９７０    ３．３０５６      １．
２２    −６２．０３４０    １．８０００      １．６７７９０    ５５．３３
２３      ６２．０３４０    ｄ５              １．
２４    １１８．８０５０    １．７０００      １．７２１５１    ２９．２３
２５      ４０．２６５０    ２．２５００      １．４９７００    ８１．６１
２６  −１０１．５６４０    ０．２５００      １．
２７      ７２．６０８０    １．９５００      １．５１６３３    ６４．１５
２８    −７２．６０８０    ｄ６              １．
２９  −１０５．６６６０    １．７５００      １．６７７９０    ５５．３３
３０      ３２．９５４０    １．７５００      １．６８８９３    ３１．０７
３１    １０５．６６６０  １４．８３          １．
３２        ∞              ８．８４００      １．
３３      ４９．３９４０    ３．２８００      １．４９７００    ８１．５４
３４    −３４．４１６０    １．９０００      １．８０１００    ３４．９７
３５    −６７．０３６０    ０．８            １．
３６        ∞            ３６．００００      １．５６８８３    ５６．３６
３７        ∞            ２５．５０００      １．
３８        ∞            １４．００００      １．５６８８３    ５６．３６
３９        ∞              ２．００００      １．
４０        ∞            １４．００００      １．５６８８３    ５６．３６
４１        ∞              ５．４９３２＊    １．
４２    ∞（中間結像点）  ２３．５９５２＊    １．
４３      ４３．１６００    ３．７０００      １．６１８００    ６３．３３
４４    −４３．１６００    ０．２０００      １．
４５      ２０．５８１０    ７．４６００      １．４９７００    ８１．６１
４６    −１５．０９２０    ２．２０００      １．６７３００    ３８．１５
４７      １０．９２３０    ３．８３００      １．
４８      −９．４８９０    １．９０００      １．７７２５０    ４９．６０
４９      ３０．３２１０    ６．０５００      １．４９７００    ８１．６１
５０    −１４．１３２０    ０．１０００      １．
５１      ８３．６３９０    ４．２０００      １．６２２３０    ５３．１７
５２    −１７．４０００    ４．０７１６＊    １．
５３        ∞            １６．００００      １．５６８８３    ５６．３６
５４        ∞              ４．００００      １．
５５        ∞            ４７．８０００      １．５１６３３    ６４．１４
５６        ∞            １１．００００      １．
５７        ∞            １６．００００      １．５６８８３    ５６．３６
５８        ∞              ４．１４８６      １．
５９      １８．５６２０    ４．７５００      １．６１８００    ６３．３３
６０    −３９．４５７０    ０．１０００      １．
６１      １１．４２５０    ５．５６００      １．４９７００    ８１．６１
６２    −２２．７１１０    １．９０００      １．７７２５０    ４９．６０
６３        ６．９５２０    ３．６３００      １．
６４      −７．４２７０    ２．８８００      １．８３４００    ３７．１６
６５      ７９．１５６０    ６．２５００      １．４９７００    ８１．６１
６６    −１１．０３３０    ０．２０００      １．
６７      ２７．６０９０    ３．６４００      １．６１８００    ６３．３３
６８    −３２．４０９０  ２１．８９２７      １．
６９    ∞（中間結像点）  ２４．０４８７      １．  
７０        ∞              ３．８０００      １．
７１        ∞            １４．００００      １．５６８８３    ５６．３６
７２        ∞            ２１．００００      １．
７３        ∞              ０．４５００      １．
７４      ５０．５７６０    １．９２００      １．８３４００    ３７．１６
７５      ２５．３０７０    ４．０５００      １．４９７００    ８１．５４
７６    −３６．８４１０    ４．５０００      １．
７７        ∞            １８．００００      １．５６８８３    ５６．３６
７８        ∞            ２２．２５００      １．
７９        ∞（ＡＳ）      ７．２９００      １．
８０        ∞            １１．００００      １．５１６３３    ６４．１４
８１        ∞            １０．４５００      １．
８２        ∞              ７．５８３０      １．
８３      ３６．５３００    １．９０００      １．６０３４２    ３８．０３
８４        ∞              ５．１０００      １．
８５      ７５．２４５０    ２．４０００      １．５１６３３    ６４．１４
８６    −３０．３８５０    １．６０００      １．５８１４４    ４０．７５
８７      ３０．３８５０  １１．００００      １．
８８        ∞            １０．５０００      １．
８９        ∞            ２５．６０７０      １．５６８８３    ５６．３６
９０        ∞              １．１３２０      １．
９１        ∞            ４５．２３９０      １．５６８８３    ５６．３６
９２        ∞              ８．００００      １．
９３        ∞            ５５．４２６０      １．５１６３３    ６４．１４
９４        ∞              １．００００      １．
９５        ∞            ２２．００００      １．５６８８３    ５６．３６
９６        ∞              ７．９３１０      １．
９７        ∞            ５８．５０００      １．５６８８３    ５６．３６
９８        ∞              ３．５３３６      １．
像面        ∞
【００５２】
上記レンズデータにおいて、ＡＳ径：φ１２（半円）、像高：１０．５、１２面の偏心量：１６である。面番号８８以降は図示を省略している。
また、図２９（ａ）〜（ｄ）の各状態における上記レンズデータのｄ１〜ｄ６の値および総合倍率を表８に示す。
【００５３】
（表８）
（ａ）ＷＤ２５０  （ｂ）ＷＤ５００  （ｃ）ＷＤ２５０  （ｄ）ＷＤ５００
最低倍            最低倍            最高倍            最高倍
ｄ１      ２５１．３        ５０１．３        ２５１．３        ５０１．３
ｄ２        ２５．１７        ４５．２５        ２５．１７      ４５．２５  
ｄ３        ２２．１３          ２．０５        ２２．１３        ２．０５
ｄ４          ９．４４          ９．４４        ３８．４        ３８．４
ｄ５          ６．０８        ８６．０８          ３．１１        ３．１１
ｄ６          ６．１５          ６．１５        ６０．１５      ６０．１５
倍率          ０．２０９        ０．１２９        ２．１１        １．３０
【００５４】
表９に図２７の副側観察光学系のレンズデータを示し、図３９〜図４２に図３０（ａ）〜（ｄ）の各状態に対応する収差図を示す。
図３９は図３０（ａ）の状態、図４０は図３０（ｂ）の状態、図４１は図３０（ｃ）の状態、図４２は図３０（ｄ）の状態における収差図である。これら図３９〜図４２においては、（ａ）は球面収差、（ｂ）は像面湾曲、（ｃ）はディストーション、（ｄ）は倍率色収差をそれぞれ示している。
【００５５】
（表９）
面番        ｒ              ｄ                ｎ                νｄ
物体        ∞              ｄ１              １．
１          ∞              ３．００００      １．５１６３３    ６４．１４
２          ∞              ｄ２              １．
３      −８９．６２８０    ６．１０００      １．６１７７２    ４９．８１
４        ８９．６２８０    ８．１０００      １．８５０２６    ３２．２７
５    −２６１．５５５０    ６．１０００      １．５９５５１    ３９．２４
６      １８２．３４８０    ｄ３              １．
７      １９０．９５５０    ６．２０００      １．８５０２６    ３２．２７
８      １００．３２３０    ８．８０００      １．４９７００    ８１．５４
９    −１７５．１９９０    ０．２０００      １．
１０    ６３７．２３６０    ６．４０００      １．４９７００    ８１．５４
１１  −１７１．７５３０    ０．５０００      １．
１２        ∞            ４５．００００      １．５６８８３    ５６．３６
１３        ∞              ２．５０００      １．
１４      ６３．８４７０    ３．００００      １．４９７００    ８１．６１
１５    −６３．８４７０    ２．２０００      １．７２１５１    ２９．２３
１６  −１９６．５４３０    ０．３０００      １．
１７    １０３．０８６０    ２．２０００      １．５１６３３    ６４．１５
１８        ∞              ｄ４              １．
１９  −１３５．９５００    １．８５００      １．６７７９０    ５５．３３
２０      １１．９１３０    ３．５０００      １．７１７３６    ２９．５１
２１      ３６．６９７０    ３．３０５６      １．
２２    −６２．０３４０    １．８０００      １．６７７９０    ５５．３３
２３      ６２．０３４０    ｄ５              １．
２４    １１８．８０５０    １．７０００      １．７２１５１    ２９．２３
２５      ４０．２６５０    ２．２５００      １．４９７００    ８１．６１
２６  −１０１．５６４０    ０．２５００      １．
２７      ７２．６０８０    １．９５００      １．５１６３３    ６４．１５
２８    −７２．６０８０    ｄ６              １．
２９  −１０５．６６６０    １．７５００      １．６７７９０    ５５．３３
３０      ３２．９５４０    １．７５００      １．６８８９３    ３１．０７
３１    １０５．６６６０  １４．８３          １．
３２        ∞            ２０．００００      １．５６８８３    ５６．３６
３３        ∞              ７．００００      １．
３４        ∞            ２０．００００      １．５６８８３    ５６．３６
３５        ∞              ３．５０００      １．
３６      ３３．５７４０    ６．７０００      １．４９７００    ８１．５４
３７    −２３．２８９０    ３．１０００      １．８０４４０    ３９．５９
３８    −４６．６２３０  ２４．２０００      １．
３９        ∞            １４．００００      １．５６８８３    ５６．３６
４０        ∞            １７．０９３４＊    １．
４１        ∞            ２７．９０７３Ｃ    １．
４２        ∞            １０．００００      １．５６８８３    ５６．３６
４３        ∞              ３．９８３０      １．
４４        ∞            １０．００００      １．５６８８３    ５６．３６
４５        ∞              ４．５０００      １．
４６        ∞（ＡＳ）      ０．              １．
４７      １９．３７６０    ２．５０００      １．５８９１３    ６１．１４
４８  −１８９．４９３０Ｃ  ０．２０００      １．
４９        ８．５７２０    ５．００００      １．４９７００    ８１．５４
５０    −２９．２３５０    ５．９０００      １．７９９５２    ４２．２２
５１        ６．２１３０    １．５０００      １．
５２    −１３．３１００    １．７０００      １．７８８００    ４７．３７
５３        ８．３１７０    ４．３０００      １．４９７００    ８１．５４
５４    −１１．２６２０    ０．２０００      １．
５５      １３．３８７０    ２．７０００      １．７８８００    ４７．３７
５６        ∞              １．５０００      １．
５７        ∞            １０．００００      １．５６８８３    ５６．３６
５８        ∞            ３３．０３          １．
像面        ∞
【００５６】
上記レンズデータにおいて、ＡＳ径：φ７、像高：１０．５、１２面の偏心量：１４である。
また、図３０（ａ）〜（ｄ）の各状態における上記レンズデータのｄ１〜ｄ６の値および総合倍率を表１０に示す。
【００５７】
（表１０）
（ａ）ＷＤ２５０  （ｂ）ＷＤ５００  （ｃ）ＷＤ２５０  （ｄ）ＷＤ５００
最低倍            最低倍            最高倍            最高倍
ｄ１      ２５１．３        ５０１．３        ２５１．３        ５０１．３
ｄ２        ２５．１７        ４５．２５        ２５．１７        ４５．２５  
ｄ３        ２２．１３          ２．０５        ２２．１３          ２．０５
ｄ４          ９．４４          ９．４４        ３８．４          ３８．４
ｄ５        ８６．０８        ８６．０８          ３．１１          ３．１１
ｄ６          ６．１５          ６．１５        ６０．１５        ６０．１５
倍率          ０．０５９７      ０．０３６７      ０．６０５１      ０．３７２２
【符号の説明】
【００５８】
１  対物光学系（立体観察装置用対物光学系）
８  第１群
８ａ，８ｃ  凹レンズ
８ｂ  凸レンズ
９  第２群
【図１】
2014048413.tif 000003
【図２】
2014048413.tif 000004
【図３】
2014048413.tif 000005
【図４】
2014048413.tif 000006
【図５】
2014048413.tif 000007
【図６】
2014048413.tif 000008
【図７】
2014048413.tif 000009
【図８】
2014048413.tif 000010
【図９】
2014048413.tif 000011
【図１０】
2014048413.tif 000012
【図１１】
2014048413.tif 000013
【図１２】
2014048413.tif 000014
【図１３】
2014048413.tif 000015
【図１４】
2014048413.tif 000016
【図１５】
2014048413.tif 000017
【図１６】
2014048413.tif 000018
【図１７】
2014048413.tif 000019
【図１８】
2014048413.tif 000020
【図１９】
2014048413.tif 000021
【図２０】
2014048413.tif 000022
【図２１】
2014048413.tif 000023
【図２２】
2014048413.tif 000024
【図２３】
2014048413.tif 000025
【図２４】
2014048413.tif 000026
【図２５】
2014048413.tif 000027
【図２６】
2014048413.tif 000028
【図２７】
2014048413.tif 000029
【図２８】
2014048413.tif 000030
【図２９】
2014048413.tif 000031
【図３０】
2014048413.tif 000032
【図３１】
2014048413.tif 000033
【図３２】
2014048413.tif 000034
【図３３】
2014048413.tif 000035
【図３４】
2014048413.tif 000036
【図３５】
2014048413.tif 000037
【図３６】
2014048413.tif 000038
【図３７】
2014048413.tif 000039
【図３８】
2014048413.tif 000040
【図３９】
2014048413.tif 000041
【図４０】
2014048413.tif 000042
【図４１】
2014048413.tif 000043
【図４２】
2014048413.tif 000044